(57)【特許請求の範囲】
【請求項１】
手の平側と手の甲側とが互いに異なるニット素材からなり、前記手の平側のニット素材が、単糸繊度１デニール以下の超極細繊維のマルチフィラメント糸から通気度２０〜４０ｃｃ／ｃｍ2・ｓｅｃに編成され、前記手の甲側のニット素材が、単糸繊度１．５〜２．５デニールの極細繊維のマルチフィラメント糸から目付１５０〜２００ｇ／ｍ2、通気度３５０ｃｃ／ｃｍ2・ｓｅｃ以上に編成され、これらの手の平側と手の甲側のニット素材が立体的に裁断縫製されてなることを特徴とする作業用手袋。
【請求項２】
前記手の平側のニット素材の通気度が、２５〜３５ｃｃ／ｃｍ2・ｓｅｃであるであることを特徴とする請求項１記載の作業用手袋。
【請求項３】
前記手の甲側のニット素材の通気度が、３５０〜４５０ｃｃ／ｃｍ2・ｓｅｃであることを特徴とする請求項１または２記載の作業用手袋。
【請求項４】
少なくとも前記手の平側のニット素材が導電性繊維を編み込んでいることを特徴とする請求項１〜３のいずれかに記載の作業用手袋。
【発明の詳細な説明】
【０００１】
【発明の属する技術分野】
本発明は、作業用手袋に関し、さらに詳しくは精密機器や光学機器の組立工程や検品工程などに携わる作業者が着用するのに好適な作業用手袋に関するものである。
【０００２】
【従来の技術】
一般に、精密機器や光学機器の組立工程や検品工程などに携わる作業者は、機器を扱うときに手指の脂が機器に付着しないようにし、また付着した汚れを拭き取るようにするため作業用手袋をしている。
【０００３】
このような作業用手袋として、実開昭６３−７１８６０号公報には、少なくとも手の平を単糸繊度０．２デニール以下の極細繊維マルチフィラメント糸からなる布帛で構成するようにしたものが提案されている。この提案の手袋を使用することにより、従来の作業用手袋やワイピング布では拭き取ることのできなかった油膜でも容易に拭き取れるようになった。
【０００４】
しかしながら、手袋を着用すると、機器に対しては布帛を介して間接的に接触することになるため、素手で直に扱うときのような感触の確かなハンドリング性に欠けたものとなり、それが組立工程や検品工程などでの作業性を低下させる原因になっていた。特に、細密な作業をするときに、素手感覚から遠い感覚のハンドリング性が作業性を著しく困難にしていた。
【０００５】
また、作業者は作業用手袋を長時間にわたり着用しなければならないため、手袋内で蒸れが発生し、その蒸れが不快感を与えてさらに作業性を低下させる原因にもなっていた。
【０００６】
【発明が解決しようとする課題】
本発明の目的は、極細繊維使いから得られる優れた拭き取り性を維持しながら、実質的に素手感覚のハンドリング性と実質的に蒸れを生じない快適性を備えた作業用手袋を提供することにある。
【０００７】
【課題を解決するための手段】
本発明による作業用手袋は、手の平側と手の甲側とが互いに異なるニット素材からなり、前記手の平側のニット素材が、単糸繊度１デニール以下の超極細繊維のマルチフィラメント糸から通気度２０〜４０ｃｃ／ｃｍ2・ｓｅｃに編成され、前記手の甲側のニット素材が、単糸繊度１．５〜２．５デニールの極細繊維のマルチフィラメント糸から目付１５０〜２００ｇ／ｍ2、通気度３５０ｃｃ／ｃｍ2・ｓｅｃ以上に編成され、これらの手の平側と手の甲側のニット素材が立体的に裁断縫製されてなることを特徴とするものである。
【０００８】
このように伸縮性に富むニット素材から手の平側と手の甲側とが立体的に裁断縫製されることにより、手袋の着用状態において手指を屈伸するときの抵抗感を低減する上に、この抵抗感の小さい機能性に加えて、手の平側に使用するニット素材を、単糸繊維１デニール以下の超極細繊維マルチフィラメント糸から通気度を２０〜４０ｃｃ／ｃｍ2・ｓｅｃに編成したことにより、機器を扱うときのフィット性が一層向上し、素手感覚のハンドリング性にすることができる。
【０００９】
他方、手の甲側に使用するニット素材を、手の平側より太い単糸繊度の１．５〜２．５デニールの極細繊維マルチフィラメント糸から、目付を１５０〜２００ｇ／ｍ2にし、通気度を十分に大きな３５０ｃｃ／ｃｍ2・ｓｅｃ以上にしたことにより、手袋からの放湿性を向上させ、長時間着用しても手袋内で蒸れを生ずることなく快適な着用感にすることができる。
【００１０】
なお、本発明において、ニット素材の目付とは、ニット素材１ｍ2当たりの重量をｇ単位で表示したときの値をいい、またニット素材の通気度とは、ＪＩＳ−Ｌ１０１８  Ａ法に従って測定した値をいう。
【００１１】
【発明の実施の形態】
図１は、本発明の実施形態からなる作業用手袋を示す。
【００１２】
この作業用袋１は、手の平Ｐと手の甲Ｂとが互いに異なるニット素材２，３の裁断片から構成され、またこれら裁断片とは独立して親指ａが裁断され、同じく手の平Ｐ側と手の甲Ｂ側とが互いに異なるニット素材２ａ、３ａから構成されている。さらに、人差し指ｂと中指ｃとの間、中指ｃと薬指ｄとの間、薬指ｄと小指ｅとの間に、それぞれ別のニット素材３ｂの裁断片が使用されている。そして、これら複数の裁断片が立体的に縫製されることにより、作業用手袋１が構成されている。
【００１３】
上記構成の作業用手袋１において、本発明の目的とする素手並みのハンドリング性と蒸れのない快適性との両立を図るため、手の平Ｐ側のニット素材２，２ａと手の甲Ｂ側のニット素材３，３ａ，３ｂとは、それぞれ次のように互いに異なる構成になっている。
【００１４】
手の平Ｐ側を構成する裁断片のニット素材２，２ａは単糸繊度が１デニール以下の超極細繊維マルチフィラメント糸から通気度が２０〜４０ｃｃ／ｃｍ2・ｓｅｃとなるように編成され、さらに好ましくは目付が１００〜１３０ｇ／ｍ2に編成されている。これに対して、手の甲Ｂ側を構成する裁断片のニット素材３，３ａは、単糸繊度が１．５〜２．５デニールの極細繊維マルチフィラメント糸からなり、かつ目付が１５０〜２００ｇ／ｍ2、通気度が３５０ｃｃ／ｃｍ2・ｓｅｃ以上になるように編成されている。
【００１５】
また、立体裁断するために各指間に設けた裁断片のニット素材３ｂは、手の平Ｐ側のようなハンドリング性の機能は必要ではないので、図示の実施形態の作業手袋では手の甲Ｂ側のニット素材３，３ａと同じ素材が使用されている。もちろん、必要により手の平側と同じ素材を使用するようにしてもよい。
【００１６】
上述のように構成された作業用手袋１は、各裁断片がニット素材を基調にして立体的に裁断されているため、着用時に手に良くフィットし、手指の屈伸にも良く追従して抵抗感を受けることはない。すなわち、従来の作業用手袋の場合は、一般的には手の平側と手の甲側とが二枚の裁断片だけから平面的に縫製された軍手構造になっているため、手指を屈伸すると手袋に無理な変形を生じ、それに抗する抵抗力を受けることによって、本発明のような良好なフィット性を得ることはできないのである。
【００１７】
さらに手の平Ｐ側のニット素材２，２ａが、単糸繊維１デニール以下、好ましくは０．２デニール以下、０．００００１デニール以上の超極細繊維マルチフィラメント糸から、通気度を２０ｃｃ／ｃｍ2・ｓｅｃ以上にし、さらに好ましくは目付を１３０ｇ／ｍ2以下にする編構造にしたことにより、この編構造が上述のフィット性に富む立体的な裁断縫製構造と組合わさることにより、本発明の目的とする実質的に素手感覚に近いハンドリング性を達成する。
【００１８】
しかし、上記のような超極細繊維使いのニット素材において通気度を大きくしすぎたり、さらに目付を小さくしすぎたりすると、作業用手袋としての耐久性を確保することが難しくなるため、通気度としては４０ｃｃ／ｃｍ2・ｓｅｃまでを上限とすることが必要である。また、目付としては１００ｇ／ｍ2までを下限とすることが好ましい。
【００１９】
また、手の平側のニット素材に単糸繊度１デニール以下の超極細繊維マルチフィラメント糸を使用していることにより、優れた拭き取り性が得られる。この拭き取り効果は、図２に示すような原理から得られるものである。
【００２０】
すなわち、図２（Ａ）に示すように、多数の超極細繊維ｆから構成されたマルチフィラメント糸Ｆは、その内部に無数の隙間Ｇを形成している。このようなマルチフィラメント糸Ｆから手の平側のニット素材２，２ａを構成し、このニット素材２，２ａにより汚れた表面を拭き取ると、その拭き取られた油膜や汚れＤが毛細管現象によってニット素材２，２ａの表面からマルチフィラメント糸Ｆ内部の隙間Ｇへと移動し、そこにトラップされた状態になる。したがって、ニット素材２，２ａの表面には殆ど油膜や汚れＤが残らず、繰り返し拭き取ることができるのである。
【００２１】
他方、手の甲側に使用するニット素材３，３ａは、放湿性を促進して蒸れを防止することと、作業用手袋としての必要強度を確保するように構成されている。このため手の平側に使用されるマルチフィラメント糸よりも単糸繊度が太く、１．５〜２．５デニールの極細繊維マルチフィラメント糸が使用されている。
【００２２】
この極細繊維マルチフィラメント糸から、目付を１５０〜２００ｇ／ｍ2、好ましくは１５０〜１７０ｇ／ｍ2の範囲にし、通気度を３５０ｃｃ／ｃｍ2・ｓｅｃ以上、好ましくは３５０〜４５０ｃｃ／ｃｍ2・ｓｅｃの範囲にしている。単糸繊度が１．５デニール以上の極細繊維マルチフィラメント糸を使用し、目付を１５０ｇ／ｍ2以上とすることにより、作業用手袋としての必要強度を確保する一方で、単糸繊度２．５デニール以下の極細繊維マルチフィラメント糸を使用し、目付を２００ｇ／ｍ2以下、かつ通気度を３５０ｃｃ／ｃｍ2・ｓｅｃ以上にすることにより、放湿性を確保し、長時間着用しても蒸れを生じないようにすることができる。
【００２３】
本発明において、ニット素材に使用する超極細繊維マルチフィラメント糸および極細繊維マルチフィラメント糸のポリマーとしては、特に限定されるものではなく、製糸可能なものであればいずれも適用することができる。例えば、ポリエステル、ポリアミド、ポリビニルアルコール、ポリオレフィンなどを例示することができ、なかでもポリエステルは特に好ましい材料である。
【００２４】
また、手の平側のニット素材と手の甲側のニット素材とは、同一ポリマーのマルチフィラメント糸から構成されていても、互いに異なるポリマーのマルチフィラメント糸から構成されていてもよい。
【００２５】
本発明の作業用手袋を構成するニット素材には、必要により導電性繊維を編み込むようにするとよく、この導電性繊維の混入により、作業用手袋の帯電防止を可能にすることができる。
【００２６】
【発明の効果】
上述したように、本発明の作業用手袋は、伸縮性に富むニット素材から手の平側と手の甲側とが立体的に裁断縫製されていて、手指を屈伸するときの抵抗感を低減する優れたフィット性を備え、かつこのフィット性に加えて、手の平側のニット素材を、単糸繊度１デニール以下の超極細繊維マルチフィラメント糸から通気度２０〜４０ｃｃ／ｃｍ2・ｓｅｃに編成しているため、実質的に素手感覚並みのハンドリング性にすることができる。
【００２７】
また、手の甲側のニット素材を、手の平側よりも太い単糸繊度１．５〜２．５デニールの極細繊維マルチフィラメント糸から、目付１５０〜２００ｇ／ｍ2  で、通気度を３５０ｃｃ／ｃｍ2  ・ｓｅｃ以上に編成しているため優れた放湿性を有し、長時間着用しても手袋内で蒸れを生じない快適性を得ることができる。
【図面の簡単な説明】
【図１】  本発明の実施形態からなる作業用手袋を示す斜視図である。
【図２】  （Ａ）、（Ｂ）は、本発明の作業用手袋による拭き取り性を説明する工程図である。
【符号の説明】
１：  作業用手袋
２，２ａ：  （手の平側の）ニット素材
３，３ａ：  （手の甲側の）ニット素材
【図１】
0003787964.tif 000002
【図２】
0003787964.tif 000003